(57)【特許請求の範囲】
【請求項１】
エレベーターの昇降路で動けなくなったエレベーターかごの中に閉じ込められたエレベーター乗客の避難用装置であって、
エレベーター駆動装置のブレーキを解除することで、エレベーターかごを次の階まで移動させることができ、
エレベーターかご（２）の移動を監視するために、エレベーター乗客を避難させようとする人にエレベーターかご（２）の操作状況を表示する信号装置（４．５）が設けられており、信号装置（４．５）が、避難の際のエレベーターかご（２）のオーバースピードに関する視覚的および聴覚的ディスプレイ（４．７、４．９、４．１０）とともに、視覚的階ディスプレイ（４．６、４．８）、避難方向に関する視覚的ディスプレイ（４．７、４．９）を有していることを特徴とするエレベーター乗客の避難用装置。
【請求項２】
エレベーターかご（２）に配置されたエンコーダー（１１）が、エレベーターかご（２）の位置を検出するとともに、エレベーター制御装置（４．１）が、位置情報を用いて避難速度および避難方向を算出し、かつ、信号装置（４．５）を制御することを特徴とする請求項１に記載の装置。
【請求項３】
エレベーターかご（２）の公称速度に左右される速度限界を超えると、エレベーター制御装置（４．１）によって、視覚的および聴覚的ディスプレイ（４．７、４．９、４．１０）が作動されることを特徴とする請求項１または２に記載の装置。
【発明の詳細な説明】
【０００１】
【発明の属する技術分野】
本発明は、エレベーターの昇降路で動けなくなったエレベーターかごの中に閉じ込められたエレベーター乗客の避難用装置であって、エレベーター駆動装置のブレーキを解除することで、エレベーターかごを次の階まで移動させることのできる避難用装置に関するものである。
【０００２】
【従来の技術】
実用新案ＤＥ２９６１５９２１Ｕ１から、エレベーター乗客を非常時に避難させることのできる１つの装置が公知になった。この装置は、昇降路に配置された駆動ユニットが備わった、機械室のないエレベーター設備を意図している。エレベーターかごが昇降路で動けなくなると、ブレーキを手動で解除してエレベーターかごを次の階へ駆動し、その階で乗客がエレベーターかごから安全に出ることができる。ブレーキの作動は、エレベーター制御装置も設置されている階の昇降場から、ボーデンケーブルによって行われる。避難のためにエレベーターかごを移動させるのは、エレベーター設備への電力供給なしに、乗客が乗ったエレベーターかごと釣り合いおもりとの間の重量差を用いて行われる。エレベーターかごが避難階にあることを表示する信号装置へ電力を供給するために、電池が設けられているだけである。
【０００３】
このような公知の装置の欠点は、ブレーキを操作する人が、オーバースピード調速機ロープの動きによって、あるいは懸垂ロープの動きによって、エレベーターかごの移動を観察しなければならない、ということである。動いているロープによってエレベーターかごの速度を監視するためには、たいへんな経験と注意力とが必要であり、経験のない人に期待することはできない。
【０００４】
【発明が解決しようとする課題】
本発明が改善法を提供しようと企てているのは、この点にある。本発明によれば、請求項１に特徴付けられたように、公知の装置の欠点を防止し、かつ、エレベーターかごの中に閉じ込められた人を安全に避難させることのできる装置を作り出すための解決法が提供される。
【０００５】
【課題を解決するための手段】
本発明によって達成された利点は、閉じ込められたエレベーター乗客の避難が経験のない人によっても実行できるという点に、主に認められる。本発明に係る信号装置によって、エレベーターかごの移動が監視されるとともに、正常な操作状況および異常な操作状況の双方が視覚によりかつ聴覚により、避難する人に表示される。本発明に係る信号装置によれば、経験のない人にとっても、避難は簡単でかつ安全である。昇降路の中を見ることができるように、また、とりわけエレベーター駆動装置とロープとを見ることができるように昇降路の壁に配置される観察窓は、まったく必要でない。
【０００６】
本発明は、添付図面を参照することで、いっそう詳しく説明される。
【０００７】
【発明の実施の形態】
図１には、機械室のないエレベーター設備が示されている。本発明に係る装置は、機械室のあるエレベーター設備に使用することもできる。エレベーター駆動装置１．１には牽引ロープ車１．２が備わっており、これにはロープ１．３が掛けられている。エレベーター駆動装置１．１によって、エレベーターかご２と釣り合いおもり２．１とが、エレベーター昇降路１の中を上下に移動する。エレベーター駆動装置１．１はエレベーター制御装置１．４から給電されている。エレベーターかご２はガイドレール３に沿って移動することができる。制御キャビネット４に入って昇降場Ｅ２に配置されたエレベーター制御装置４．１は、移動ケーブル２．２を介してエレベーターかご２に接続されており、エレベーターかご２をどのように移動させるかの制御をするとともに、エレベーター操作の安全性を確保する。制御キャビネット４の中には、ハンドル４．２もまた配置されており、これはボーデンケーブル４．３の一部である。ボーデンケーブル４．３は、エレベーター駆動装置１．１のブレーキ４．４に作用する。ハンドル４．２は、ブレーキ４．４を手動で解除するために使用することができる。ブレーキ４．４が解除されると、エレベーターかご２は、エレベーターかご２と釣り合いおもり２．１との間の重量差によって、上方または下方へ移動する。エレベーターかご２は、階Ｅ１、Ｅ２に止まる。示された例では、２つの階があるエレベーター設備が図示されているが、階はもっと多くてもよい。エレベーター設備の安全回路は、昇降路のドア（図示略）の接点と、エレベーター昇降路１の上部リミットスイッチ５および下部リミットスイッチ６との一連の接続から構成されている。上部リミットスイッチ５によって、エレベーターかご２が昇降路の上部空間７に入り込むのが防止され、下部リミットスイッチ６によって、エレベーターかご２が昇降路のピット８に入り込むのが防止される。エレベーターかご２の高さが昇降場Ｅ１、Ｅ２と同じになると、昇降場Ｅ１、Ｅ２の昇降路ドアの安全接点に橋絡するドア区域接点９が作動され、その結果、エレベーターかごのドアと昇降路のドアとは、安全回路が切断されることなく、前もって開かれる。
【０００８】
エレベーター制御装置４にとって、エレベーター昇降路１におけるエレベーターかご２の位置は重要である。このためには、昇降路の情報を発する装置が必要である。この例では、そのような装置は、たとえば、歯付きベルト１０と、歯付きベルト１０に接触してエレベーターかご２の絶対位置を記録するエンコーダー１１とから構成されている。エレベーターかご２に配置されたエンコーダー１１には、エレベーターかご２がエレベーター昇降路１内を移動するときに、歯付きベルト１０によって駆動することのできる歯付きプーリー１２が備わっている。遊びローラー１３によって、歯付きベルト１０の歯に歯付きプーリー１２がしっかり係合することが保証される。歯付きベルト１０は、それぞれの端部で横材１４に取り付けられている。
【０００９】
図２には、ハンドル４．２とエレベーター制御装置４．１とが備わり、エレベーター制御装置４．１には信号装置４．５が含まれている制御キャビネット４の細部が示されている。信号装置４．５には次の諸要素、すなわち、エレベーターかご２が位置している階を示すディスプレイ４．６、エレベーターかご２の上方への移動を表示する発光ダイオード４．７つきの上向き矢印、エレベーターかご２がドア区域接点９によって検出されるようなドア区域に入ったときに点灯する発光ダイオード４．８、エレベーターかご２の下方への移動を表示する発光ダイオード４．９つきの下向き矢印、および、エレベーターかご２の速度が出過ぎると警報信号を発生する、たとえばブザーのような音響エミッタ４．１０が備わっている。変形として、発光ダイオード４．８は、エレベーターかご２の高さが昇降場Ｅ１、Ｅ２と同じになったことを示すことができる。万一、電力供給装置の電圧がなくなると、避難のために必要であるエレベーター制御装置４．１のいくつかの部分、すなわち、エンコーダー１１、信号装置４．５、およびドア区域接点９には、電池４．１１からの電力が供給される。正常運転では、エレベーター制御装置４．１へ電池４．１１からの電力が周期的に供給されて、エレベーター制御装置４．１によって、その電池電圧が測定されるとともに、それらの電圧値があるべき値でない場合には故障メッセージが出される。
【００１０】
避難のためには、ハンドル４．２によってブレーキ４．４が解除される。乗客が乗ったエレベーターかご２と釣り合いおもり２．１との間の重量差によって、エレベーターかご２と釣り合いおもり２．１とは移動し始める。たとえば、エレベーターかご２の中の乗客がひとりであれば、エレベーターかご２は上方へ移動する。エレベーターかご２の位置は、エンコーダー１１によって検出されるとともに、エレベーター制御装置４．１によって速度信号に変換される。エレベーターかご２の速度が、たとえば公称速度の２５％を超えない場合には、上向き矢印つきの発光ダイオード４．７は常に点灯している。エレベーターかご２の速度が、たとえば公称速度の２５％の速度限界を超える場合には、発光ダイオード４．７は点滅し始めるとともに、ブザー４．１０によって警報信号が発令される。この場合、避難しようとする人は、ハンドル４．２、ボーデンケーブル４．３およびブレーキ４．４によって、警報信号が鳴らなくなりかつ発光ダイオード４．７が常に点灯するようになるまで、エレベーターかご２に制動をかける。
【００１１】
エレベーター制御装置４．１によって、エンコーダー１１からの位置情報を用いて、エレベーターかご２の移動の方向および速度が算出される。エレベーター制御装置４．１には、エレベーターかご２の公称速度と、たとえば２５％の速度限界とが記憶されており、エレベーター制御装置４．１によって、信号装置４．５の諸要素へ、電流、算出された移動の速度および方向に左右される信号が送られる。
【００１２】
信号装置４．５は、エレベーターにおける、図３に示された制御パネル２０の一部であり、制御パネル２０は、設置およびメンテナンスのための要員にとって、作動、メンテナンスおよび避難のためのインターフェイスとして役立つ。制御パネル２０のディスプレイおよび制御要素は、いくつかのグループに配置されている。第１グループ２０．１には、ディスプレイ要素および、安全回路リレーの試験ポイントと状況ディスプレイの備わった安全回路のボタンとが含まれている。第２グループ２０．２には、たとえば、駆動装置、ドアなどのような副システムの状況ディスプレイが含まれている。第３グループ２０．３には、エレベーターかご２の状況ディスプレイが含まれている。図２に示された信号装置４．５の発光ダイオード４．７、４．８、４．９は、このグループに含まれる。第４グループ２０．４には、通信の状況ディスプレイが含まれている。第５グループ２０．５には、電力供給装置の電圧と電池４．１１との状況ディスプレイが含まれている。第６グループ２０．６には、エレベーター設置の作動依存データーの備わったチップカードのためのインターフェイスと、エレベーターの識別のためのステップスイッチとが含まれている。第７グループ２０．７には、ある作動および／または診断機能を規定するためのスイッチが含まれている。第８グループ２０．８には、ディスプレイ４．６とコマンドを入力するための諸要素とが配置されている。底部列のいくつかのスイッチは、たとえば、位置、エレベーターかごの呼び出し、停止階、試験あるいはパラメーターのような基本的機能のためのものである。上部列のいくつかのスイッチは、＋方向あるいは−方向における特定の値を変えるのに使用することができる。制御パネルに表されていないのは、信号装置４．５のブザー４．１０である。
【図面の簡単な説明】
【図１】図１は、エレベーター乗客の避難用装置を示している。
【図２】図２は、エレベーター乗客の避難用装置の細部を示している。
【図３】図３は、作動、メンテナンスおよび避難のためのエレベーターかごの制御パネルを示している。
【符号の説明】
１  エレベーター昇降路
１．１  エレベーター駆動装置
１．２  牽引ロープ車
１．３  ロープ
１．４、４．１  エレベーター制御装置
２  エレベーターかご
２．１  釣り合いおもり
２．２  移動ケーブル
３  ガイドレール
４  制御キャビネット
４．２  ハンドル
４．３  ボーデンケーブル
４．４  ブレーキ
４．５  信号装置
４．６  ディスプレイ
４．７、４．８、４．９  発光ダイオード
４．１０  ブザー
４．１１  電池
Ｅ１、Ｅ２  昇降場
５  上部リミットスイッチ
６  下部リミットスイッチ
７  上部空間
８  昇降路のピット
９  ドア区域接点
１０  歯付きベルト
１１  エンコーダー
１２  歯付きプーリー
１３  遊びローラー
１４  横材
２０  制御パネル
【図１】
0005155505.tif 000002
【図２】
0005155505.tif 000003
【図３】
0005155505.tif 000004